(57)【要約】【課題】本発明は、上下一対のドア側蝶番部材とフレ−ム側蝶番部材をそれぞれ対応するドアおよびフレ−ムに取付けると共に、上下の軸管中心をそれぞれ対応する上下の軸の中心にスム−ズに、しかも、迅速かつ確実に合致せしめることができ、ひいては、常にフレ−ムに対するドアの装着作業を容易に、しかも作業能率よく行なうことができる、抜差し蝶番を提供するものである。【解決手段】蝶板１４の一側縁に所要長の軸管１５が形成されてなるドア側蝶番部材１２・３２と、上記軸管１５に挿入せしめるべく蝶板１７の一側上端に所要長の軸１８が突設されてなるフレーム側蝶番部材１３・３３とよりなる抜差し蝶番１１・２１・３１・４１において、上記軸管１５には軸１８の先部を嵌合せしめつつその中心を軸管１５内にガイドせしめるべくガイド口１６・２６が切欠き形成されている。【選択図】図１
2017125364.tif 000002
【特許請求の範囲】
【請求項１】
蝶板の一側縁に所要長の軸管が形成されてなるドア側蝶番部材と、上記軸管に挿入せし
めるべく蝶板の一側上端に所要長の軸が突設されてなるフレーム側蝶番部材とよりなる抜
差し蝶番において、上記軸管には軸の先部を嵌合せしめつつその中心を軸管内にガイドせ
しめるべくガイド口が切欠き形成されてなることを特徴とする、抜差し蝶番。
【請求項２】
上記軸管の下端部には軸の先部中心を軸管内にガイドせしめるべくガイド口が切欠き形
成されてなることを特徴をする、請求項１記載の抜差し蝶番。
【請求項３】
上記軸管の上下端部には各々軸の先部中心を軸管内にガイドせしめるべくガイド口が切
欠き形成されてなることを特徴をする、請求項１記載の抜差し蝶番。                
【発明の詳細な説明】
【技術分野】
【０００１】
本発明は、特に電子機器などを収納する大型ラックのドアに取付けて使用する抜差し蝶
番に関する。
【背景技術】
【０００２】
従来より、この種の抜差し蝶番の一例として、特開２００９−１８００４９号公報、実
開昭５９−１７５５７２号公報、あるいは実開昭６２−１４０１７４号公報には、蝶板の
一側に軸管が形成されたドア側蝶番部材と、上記軸管に回動自在に挿入せしめるべく蝶板
の一側に軸が立設されたフレ−ム側蝶番部材とよりなる基本構成を有するものが記載され
ている。  
【０００３】
そして、かかる基本構成を有する抜差し蝶番は、ラックを構成するドアの一側上下部に
各々ドア側蝶番部材を取付けると共に、これに対応すべく同フレ−ムの一側上下部に各々
フレ−ム側蝶番部材を取付ける。しかるのち、上下軸管の中心を対応する軸の中心に合致
せしめつつ、軸管に軸を回動自在に挿入せしめ、フレ−ムにドアを開閉自在に装着せしめ
るものである。
【先行技術文献】
【特許文献】
【０００４】
【特許文献１】特開２００９−１８００４９号公報
【特許文献２】実開昭５９−１７５５７２号公報
【特許文献３】実開昭６２−１４０１７４号公報
【発明の概要】
【発明が解決しようとする課題】
【０００５】
ところで、上記従来例の抜差し蝶番は、上下一対のドア側蝶番部材とフレ−ム側蝶番部
材とをそれぞれ対応するドアとフレ−ムの一側に取付けると共に、上下の軸管をそれぞれ
対応する上下の軸にアプロ−チせしめ、その中心を垂直線上に合致せしめつつ垂直方向よ
り軸管に軸を挿入せしめなければならないものであるから、比較的軽量な小型のラックの
場合においてはともかく、例えば、高さが約２ｍ、重量が約１０ｋｇのような重量の大な
大型ラックの場合においては、上下に対応する軸管と軸との間のクリアランスがほとんど
なく、上下一対の軸管と軸との中心を垂直線上に確実に合致せしめることが非常に困難で
あり、軸管に対する軸のスム−ズな挿入が阻害されやすいものであって、ひいては、フレ
−ムに対するドアの装着作業が非常に面倒で手間がかかり、作業能率が悪いのみならず、
場合によっては軸の先部が不用意に軸管の下端内縁に接触して損傷せしめるおそれがある
ものである。  
【０００６】
本発明は従来の課題を解決し、上下一対のドア側蝶番部材とフレ−ム側蝶番部材をそれ
ぞれ対応するドアおよびフレ−ムに取付けると共に、上下の軸管中心をそれぞれ対応する
上下の軸の中心にスム−ズに、しかも、迅速かつ確実に合致せしめることができるもので
あって、ひいては、常にフレ−ムに対するドアの装着作業を容易に、しかも作業能率よく
行なうことができるのみならず、軸の挿入時における不用意な軸管下端縁の損傷などを有
効に防止することができる、抜差し蝶番を提供しようとするものである。
【課題を解決するための手段】
【０００７】
上記の目的を達成するため、本発明の請求項１記載の発明は、蝶板の一側縁に所要長の
軸管が形成されてなるドア側蝶番部材と、上記軸管に挿入せしめるべく蝶板の一側上端に
所要長の軸が突設されてなるフレーム側蝶番部材とよりなる抜差し蝶番において、上記軸
管には軸の先部を嵌合せしめつつその中心を軸管内にガイドせしめるべくガイド口が切欠
き形成されてなることを特徴とする、抜差し蝶番を要旨とするものである。
【０００８】
本発明の請求項２記載の発明は、上記軸管の下端部には軸の先部中心を軸管内にガイド
せしめるべくガイド口が切欠き形成されてなることを特徴をする、請求項１記載の抜差し
蝶番を要旨とするものである。
【０００９】
本発明の請求項３記載の発明は、上記軸管の上下端部には各々軸の先部中心を軸管内に
ガイドせしめるべくガイド口が切欠き形成されてなることを特徴をする、請求項１記載の
抜差し蝶番を要旨とするものである。
【発明の効果】
【００１０】
本発明の請求項１記載の発明は、上述のように構成されているから、上下部一対のドア
側蝶番部材とフレ−ム側蝶番部材とをそれぞれ対応するドアおよびフレ−ムに取付けると
共に、上下のドア側蝶番部材を側方よりフレ−ム側蝶番部材にアプロ−チせしめつつ、フ
レ−ム側蝶番部材の上下の軸先部を各々対応する軸管のガイド口にクリアランスをもって
嵌合せしめながら軸管内にガイドせしめることができるものであって、常に垂直線方向に
そって上下の軸管中心をそれぞれ対応する軸中心にスム−ズに、しかも、迅速かつ確実に
合致せしめることができるものであり、ひいては、フレ−ムに対するドアの装着作業を容
易に、しかも作業能率よく行なうことができるのみならず、軸の挿入時における不用意な
接触による軸管下端縁の損傷などを有効に防止せしめることができるものである。
【００１１】
本発明の請求項２記載の発明は、上述のように構成されているから、右開きドア用とし
て、あるいは左開きドア用として各々上下部一対のドア側蝶番部材とフレ−ム側蝶番部材
とをそれぞれ対応するドアおよびフレ−ムに取付けると共に、上下のドア側蝶番部材を側
方よりフレ−ム側蝶番部材にアプロ−チせしめつつ、フレ−ム側蝶番部材の上下の軸先部
を各々対応する軸管のガイド口に嵌合せしめながら軸管内にガイドせしめることができる
ものであって、常に垂直線方向にそって上下の軸管中心をそれぞれ対応する軸中心にスム
−ズに、しかも、迅速かつ確実に合致せしめることができるものであり、ひいては、フレ
−ムに対するドアの装着作業を容易に、しかも作業能率よく行なうことができるものであ
る。
【００１２】
本発明の請求項３記載の発明は、上述のように構成されているから、ドア側蝶番部材と
フレ−ム側蝶番部材とを必要に応じて上下に反転せしめ、右開きドア用として、あるいは
左開きドア用として兼用使用することができるものであって、効率的な使用を担保するこ
とができるものである。
【図面の簡単な説明】
【００１３】
【図１】本発明の第１実施例を示す斜視図である。
【図２】第１実施例のドア側蝶番部材１２を示す正面図である。
【図３】図２のＩ−Ｉ線に沿う断面図である。
【図４】第１実施例のフレ−ム側蝶番部材１３を示す正面図である。
【図５】第１実施例のフレ−ム側蝶番部材１３を示す背面図である
【図６】第１実施例のドア側蝶番部材１２とフレ−ム側蝶番部材１３を各々右開きドア１９とフレ−ム２０に取付けた状態を示す斜視図である。
【図７】第１実施例のドア側蝶番部材１２の軸管１５中心をフレ−ム側蝶番部材１３の軸１８中心に合致せしめた状態を示す斜視図である。
【図８】第１実施例のドア側蝶番部材１２の軸管１５にフレ−ム側蝶番部材１３の軸１８を挿入して取付けた状態を示す斜視図である。
【図９】図８のＡ部拡大斜視図である。
【図１０】本発明の第２実施例を示す斜視図である。
【図１１】第２実施例のドア側蝶番部材１２を示す正面図である。
【図１２】図１１のＩＩ−ＩＩ線に沿う断面図である。
【図１３】本発明の第３実施例を示す斜視図である。
【図１４】本発明の第３実施例のドア側蝶番部材３２を示す正面図である。
【図１５】図１４のＩＩＩ−ＩＩＩ線に沿う断面図である。
【図１６】本発明の第３実施例のフレ−ム側蝶番部材３３を示す正面図である。
【図１７】第３実施例のドア側蝶番部材３２とフレ−ム側蝶番部材３３を各々左開きドア３９およびフレ−ム２０に取付けた状態を示す斜視図である。
【図１８】本発明の第４実施例を示す斜視図である。
【図１９】本発明の第４実施例のドア側蝶番部材４２を示す正面図である。
【図２０】図１９のＩＶ−ＩＶ線に沿う断面図である。
【発明を実施するための形態】
【００１４】
以下に、本発明を実施するための形態を図面に示す一実施例に基づいて詳細に説明する
。
【００１５】
図１〜図９は本発明の第１実施例を示すもので、同図中、１１は後記する右開きラック
１９に取付けて使用する抜差し蝶番、１２・１３は該抜差し蝶番１１を構成するドア側蝶
番部材とフレ−ム側蝶番部材、１４は上記ドア側蝶番部材１２を構成する水平断面略Ｌ字
形状の取付け孔付き蝶番、１５は該蝶番１４の一側縁に沿って形成された円筒状の軸管、
１６は該軸管１５の下端部に切欠き形成された略半筒状の軸用ガイド口である。１７は上
記フレ−ム側蝶番部材１３を構成する水平断面略Ｌ字形状の取付け孔付き蝶板、１８は上
記軸管１５に対応すべく該蝶番１７の一側に取付け部材を介して上方に突設された所要の
径と長さを有する軸である。その他、１９・２０はラックを構成する右開きドアとフレ−
ムを各々示す。
【００１６】
そして、上述の如く構成された抜差し蝶板１１は、図６に示すように、先ずラックを構
成する右開きドア１９の一側縁に上下一対のドア側蝶番部材１２を各々所定間隔でもって
取付けると共に、該上下のドア側蝶番部材１２に各々対応せしめるべくフレ−ム２０の一
側縁にフレ−ム側蝶番部材１３を取付ける。  
しかるのち、ラックに電子機器などを収納せしめ、あるいは収納せしめることなく、図
７に示すように、右開きドア１９を上方に持ち上げつつ側方より上下の軸管１５を対応す
る軸１８にアプロ−チせしめ、上下の軸管１５と軸１８との中心を垂直線上に合致せしめ
たのち、右開きドア２０を下降作動せしめつつ上下の軸管１５に各々軸１８を回動自在に
挿入せしめ、ラックのフレ−ム２０に右開きドア１９を右開き自在に装着せしめる（図８
および図９参照）。  
【００１７】
このさい、ドア側蝶番部材１２の軸管１５下端にはガイド口１６が形成されているから
、上下のドア側蝶番部材１２を側方よりフレ−ム側蝶番部材１３にアプロ−チせしめるさ
いには、フレ−ム側蝶番部材１３の上下軸１８先部を各々対応する上下軸管１５のガイド
口１６にクリアランスをもって嵌合せしめながら軸管１５内にガイドせしめることができ
るものであって、ひいては、常に垂直線方向に沿って上下の軸管１５の中心をそれぞれ対
応する軸１８の中心にスム−ズに、しかも、迅速かつ確実に合致せしめることができるも
のであって、ラックのフレ−ム２０に対する右開きドア１９の装着作業を容易に、しかも
作業能率よく行なうことができるのみならず、軸１８の挿入時における不用意な接触によ
る軸管１５下端縁の損傷を有効に防止せしめることができるものである。    
【００１８】
図１０〜図１２は、本発明の第２実施例にかかる抜差し蝶板２１を示すもので、ドア側
蝶番部材１２を構成する軸管１５の上端部に略半筒状のガイド口２６が切欠き形成された
点が上記第１実施例と相違し、他の部分は同一であり、同一符号は同一部分を示す。  
【００１９】
そして、上述の如く構成された抜差し蝶板２１は、右開きドア１９のみならず左開きド
アに兼用使用することができる。即ち、右開きドア１９に用いる場合には、上記第１実施
例と同様に、右開きドア１９の一側に取付け、軸管１５の下端側ガイド口１６を介して中
心を合致せしめつつ軸１８を軸管１５にクリアランスをもってスム−ズに挿入せしめ、右
開きドア１９をフレ−ム１９に装着せしめる。また、逆に左開きドアに用いる場合は、ド
ア側蝶番部材１２とフレ−ム側蝶番部材１３を各々上下に反転せしめつつフレ−ム２０と
左開きドアに各々取付け、下端部に位置せしめた軸管１５のガイド口２６にガイドせしめ
つつその中心を軸１８中心に合致せしめたのち、軸１８を軸管１５にスム−ズに挿入せし
め、左開きドアをラックのフレ−ム２０に装着せしめる。
このように、軸管１５の上下部に各々ガイド口１６・２６が各々形成されているから、
ドア側蝶番部材１２とフレ−ム側蝶番部材１３を必要に応じて各々上下に反転せしめ、右
開きドア用として、あるいは左開きドア用として効果的に兼用使用することができるもの
である。
【００２０】
図１３〜図１７は、本発明の第３実施例にかかる抜差し蝶板３１を示すもので、左開き
ドアに用いるべくドア側蝶番部材３２とフレ−ム側蝶番部材３３を各々第１実施例に示す
ドア側蝶番部材１２およびフレ−ム側蝶番部材１３と対称に形成せしめた点が相違し、他
の部分は同一であり、同一符号は同一部分を示す。
【００２１】
そして、上述の如く構成された抜差し蝶板３１は、左開きドア３９に使用する。
即ち、左開きドア３９の一側縁に上下一対のドア側蝶番部材３２を取付けると共に、フ
レ−ム２０の一側縁に上下一対のフレ−ム側蝶番部材３３を各々取付ける。
しかるのち、左開きドア３９を持ち上げつつ側方より上下の軸管１５を対応する軸１８
にアプロ−チせしめ、上下軸１８の先部を各々対応する上下軸管１５のガイド口１６に沿
ってガイドせしめつつその中心を垂直線上に合致せしめたのち、軸管１５に各々軸１８を
回動自在に挿入せしめ、ラックに左開きドア３９を装着せしめるものである（図１７参照
）。
このさい、上下の軸管１５の下端にはガイド口１６が形成されているから、上下の軸管
１５と軸１８との中心をクリアランスをもって垂直方向に容易に合致せしめることができるものであって、ひい
ては、ラックに対する左開きドア３９の装着作業を容易に、しかも、能率よく行なうこと
ができるものである。    
【００２２】
図１８〜図２０は、本発明の第４実施例の抜差し蝶板４１を示すもので、ドア側蝶番部
材３２を構成する軸管１５の上端部に略半筒状のガイド口２６が切欠き形成された点が上
記第３実施例と相違し、他の部分は同一であり、同一符号は同一部分を示す。  
【００２３】
そして、上述の如く構成された抜差し蝶板４１は、軸管１５の下部のみならず上部に各
々ガイド口１６・２６が各々形成されているから、上記第２実施例の抜差し蝶番２１と同
様に、ドア側蝶番部材３２とフレ−ム側蝶番部材３３を必要に応じて上下に反転せしめ、
左開きドア３９用として、あるいは右開きドア１９用として効果的に兼用使用することが
できるのである。   
【００２４】
なお、上記実施例において、軸管１５に切欠き形成されたガイド口１６・２６は略半筒
状に形成されているが、これに限定されるものではなく、半円錐状など公知の形状に形成
せしめてもよいものである。
【符号の説明】
【００２５】
１１・２１・３１・４１  抜差し蝶番
１２・３２  ドア側蝶番部材
１３・３３  フレ−ム側蝶番部材
１４  蝶板
１５  軸管                              
１６・２６  ガイド口
１７  蝶板
１８  軸
１９  右開きドア
２０  フレ−ム
３９  左開きドア
【図１】
2017125364.tif 000003
【図２】
2017125364.tif 000004
【図３】
2017125364.tif 000005
【図４】
2017125364.tif 000006
【図５】
2017125364.tif 000007
【図６】
2017125364.tif 000008
【図７】
2017125364.tif 000009
【図８】
2017125364.tif 000010
【図９】
2017125364.tif 000011
【図１０】
2017125364.tif 000012
【図１１】
2017125364.tif 000013
【図１２】
2017125364.tif 000014
【図１３】
2017125364.tif 000015
【図１４】
2017125364.tif 000016
【図１５】
2017125364.tif 000017
【図１６】
2017125364.tif 000018
【図１７】
2017125364.tif 000019
【図１８】
2017125364.tif 000020
【図１９】
2017125364.tif 000021
【図２０】
2017125364.tif 000022
【手続補正書】
【提出日】平成29年3月10日(2017.3.10)
【手続補正１】
【補正対象書類名】明細書
【補正対象項目名】全文
【補正方法】変更
【補正の内容】
【発明の詳細な説明】
【技術分野】
【０００１】
本発明は、特に電子機器などを収納する大型ラックのドアに取付けて使用する抜差し蝶番に関する。
【背景技術】
【０００２】
従来より、この種の抜差し蝶番の一例として、特開２００９−１８００４９号公報、実開昭５９−１７５５７２号公報、あるいは実開昭６２−１４０１７４号公報には、蝶板の一側に軸管が形成されたドア側蝶番部材と、上記軸管に回動自在に挿入せしめるべく蝶板の一側に軸が立設されたフレーム側蝶番部材とよりなる基本構成を有するものが記載されている。
【０００３】
そして、かかる基本構成を有する抜差し蝶番は、ラックを構成するドアの一側上下部に各々ドア側蝶番部材を取付けると共に、これに対応すべく同フレームの一側上下部に各々フレーム側蝶番部材を取付ける。しかるのち、上下軸管の中心を対応する軸の中心に合致せしめつつ、軸管に軸を回動自在に挿入せしめ、フレームにドアを開閉自在に装着せしめるものである。
【先行技術文献】
【特許文献】
【０００４】
【特許文献１】特開２００９−１８００４９号公報
【特許文献２】実開昭５９−１７５５７２号公報
【特許文献３】実開昭６２−１４０１７４号公報
【発明の概要】
【発明が解決しようとする課題】
【０００５】
ところで、上記従来の抜差し蝶番は、上下一対のドア側蝶番部材とフレーム側蝶番部材とをそれぞれ対応するドアとフレームの一側に取付けると共に、上下の軸管をそれぞれ対応する上下の軸にアプローチせしめ、その中心を垂直線上に合致せしめつつ垂直方向より軸管に軸を挿入せしめなければならないものであるから、比較的軽量な小型のラックの場合においてはともかく、例えば、高さが約２ｍ、重量が約１０ｋｇのような重量の大な大型ラックの場合においては、上下に対応する軸管と軸との間のクリアランスがほとんどなく、上下一対の軸管と軸との中心を垂直線上に確実に合致せしめることが非常に困難であり、軸管に対する軸のスムーズな挿入が阻害されやすいものであって、ひいては、フレームに対するドアの装着作業が非常に面倒で手間がかかり、作業能率が悪いのみならず、場合によっては軸の先部が不用意に軸管の下端内縁に接触して損傷せしめるおそれがあるものである。
【０００６】
本発明は従来の課題を解決し、上下一対のドア側蝶番部材とフレーム側蝶番部材をそれぞれ対応するドアおよびフレームに取付けると共に、上下の軸管中心をそれぞれ対応する上下の軸の中心にスムーズに、しかも、迅速かつ確実に合致せしめることができるものであって、ひいては、常にフレームに対するドアの装着作業を容易に、しかも作業能率よく行うことができるのみならず、軸の挿入時における不用意な軸管下端縁の損傷などを有効に防止することができる、抜差し蝶番を提供しようとするものである。
【課題を解決するための手段】
【０００７】
上記の目的を達成するために、本発明の請求項１記載の発明は、蝶板の一側縁に所要長の軸管が形成されてなるドア側蝶番部材と、上記軸管に挿入せしめるべく蝶板の一側上端に所要長の軸が突設されてなるフレーム側蝶番部材とよりなる抜差し蝶番において、上記軸管の上下端部には各々軸の先部を嵌合せしめつつその先部の中心を軸管内にガイドせしめるべくガイド口が切欠き形成されてなることを特徴とする、抜差し蝶番を要旨とするものである。
【０００８】
本発明の請求項２記載の発明は、上記ドア側蝶番部材は水平断面略Ｌ字形状の取付け孔付き蝶板で構成されている一方、上記フレーム側蝶番部材は水平断面略Ｌ字形状の取付け孔付き蝶板で構成されていると共に、上記ドア側蝶番部材は右開きドア用として、あるいは左開きドア用として兼用使用可能な形状を有することを特徴とする、請求項１記載の抜差し蝶番を要旨とするものである。
【０００９】
【発明の効果】
【００１０】
本発明の請求項１記載の発明では、抜差し蝶番は、軸管の下端部のみならず上端部にもガイド口が形成されているから、右開きドア用として、あるいは左開きドア用として兼用使用することができ、効果的な使用を担保することができる。また、本発明の請求項１記載の発明は、右開きドア用として、あるいは左開きドア用として各々上下部一対のドア側蝶番部材とフレーム側蝶番部材とをそれぞれ対応するドアおよびフレームに取付けると共に、上下のドア側蝶番部材を側方よりフレーム側蝶番部材にアプローチせしめつつ、フレーム側蝶番部材の上下の軸先部を各々対応する軸管のガイド口にクリアランスをもって嵌合せしめながら軸管内にガイドせしめることができるものであって、常に垂直線方向に沿って上下の軸管中心をそれぞれ対応する軸中心にスムーズに、しかも、迅速かつ確実に合致せしめることができるものであり、ひいては、フレームに対するドアの装着作業を容易に、しかも作業能率よく行うことができるのみならず、軸の挿入時における不用意な接触による軸管下端縁の損傷などを有効に防止せしめることができるものである。
【００１１】
【００１２】
【図面の簡単な説明】
【００１３】
【図１】一つの参考例を示す斜視図である。
【図２】上記参考例のドア側蝶番部材１２を示す正面図である。
【図３】図２のＩ−Ｉ線に沿う断面図である。
【図４】上記参考例のフレーム側蝶番部材１３を示す正面図である。
【図５】上記参考例のフレーム側蝶番部材１３を示す背面図である。
【図６】上記参考例のドア側蝶番部材１２とフレーム側蝶番部材１３を各々右開きドア１９とフレーム２０に取付けた状態を示す斜視図である。
【図７】上記参考例のドア側蝶番部材１２の軸管１５中心をフレーム側蝶番部材１３の軸１８中心に合致せしめた状態を示す斜視図である。
【図８】上記参考例のドア側蝶番部材１２の軸管１５にフレーム側蝶番部材１３の軸１８を挿入して取付けた状態を示す斜視図である。
【図９】図８のＡ部拡大斜視図である。
【図１０】本発明の一実施例で用いるドア側蝶番部材を含む抜差し蝶番２１を示す斜視図である。
【図１１】上記実施例のドア側蝶番部材１２を示す正面図である。
【図１２】図１１のＩＩ−ＩＩ線に沿う断面図である。
【図１３】別の参考例を示す斜視図である。
【図１４】上記別の参考例のドア側蝶番部材３２を示す正面図である。
【図１５】図１４のＩＩＩ−ＩＩＩ線に沿う断面図である。
【図１６】上記別の参考例のフレーム側蝶番部材３３を示す正面図である。
【図１７】上記別の参考例のドア側蝶番部材３２とフレーム側蝶番部材３３を各々左開きドア３９およびフレーム２０に取付けた状態を示す斜視図である。
【図１８】本発明の一実施例を示す斜視図である。
【図１９】本発明の一実施例のドア側蝶番部材３２を示す正面図である。
【図２０】図１９のＩＶ−ＩＶ線に沿う断面図である。
【発明を実施するための形態】
【００１４】
以下に、本発明を実施するための形態を図面に基づいて詳細に説明する。
【００１５】
図１〜図９は一つの参考例を示すもので、同図中、１１は後記する右開きラック１９に取付けて使用する抜差し蝶番、１２・１３は該抜差し蝶番１１を構成するドア側蝶番部材とフレーム側蝶番部材、１４は上記ドア側蝶番部材１２を構成する水平断面略Ｌ字形状の取付け孔付き蝶板、１５は該蝶番１４の一側縁に沿って形成された円筒状の軸管、１６は該軸管１５の下端部に切欠き形成された略半筒状の軸用ガイド口である。１７は上記フレーム側蝶番部材１３を構成する水平断面略Ｌ字形状の取付け孔付き蝶板、１８は上記軸管１５に対応すべく該蝶板１７の一側に取付け部材を介して上方に突設された所要の径と長さを有する軸である。その他、１９・２０はラックを構成する右開きドアとフレームを各々示す。
【００１６】
そして、上述の如く構成された抜差し蝶番１１は、図６に示すように、先ずラックを構成する右開きドア１９の一側縁に上下一対のドア側蝶番部材１２を各々所定間隔でもって取付けると共に、該上下のドア側蝶番部材１２に各々対応せしめるべくフレーム２０の一側縁にフレーム側蝶番部材１３を取付ける。しかるのち、ラックに電子機器などを収納せしめ、あるいは収納せしめることなく、図７に示すように、右開きドア１９を上方に持ち上げつつ側方より上下の軸管１５を対応する軸１８にアプローチせしめ、上下の軸管１５と軸１８との中心を垂直線上に合致せしめたのち、右開きドア１９を下降作動せしめつつ上下の軸管１５に各々軸１８を回動自在に挿入せしめ、ラックのフレーム２０に右開きドア１９を右開き自在に装着せしめる（図８および図９参照）。
【００１７】
このさい、ドア側蝶番部材１２の軸管１５下端にはガイド口１６が形成されているから、上下のドア側蝶番部材１２を側方よりフレーム側蝶番部材１３にアプローチせしめるさいには、フレーム側蝶番部材１３の上下軸１８先部を各々対応する上下軸管１５のガイド口１６にクリアランスをもって嵌合せしめながら軸管１５内にガイドせしめることができるものであって、ひいては、常に垂直線方向に沿って上下の軸管１５の中心をそれぞれ対応する軸１８の中心にスムーズに、しかも、迅速かつ確実に合致せしめることができるものであって、ラックのフレーム２０に対する右開きドア１９の装着作業を容易に、しかも作業能率よく行うことができるのみならず、軸１８の挿入時における不用意な接触による軸管下端縁の損傷を有効に防止せしめることができるものである。
【００１８】
図１０〜図１２は、本発明の一実施例にかかる抜差し蝶番２１を示すもので、ドア側蝶番部材１２を構成する軸管１５の上端部に略半筒状のガイド口２６が切欠き形成された点が上記参考例と相違し、他の部分は同一であり、同一符号は同一部分を示す。
【００１９】
そして、上述の如く構成された抜差し蝶番２１は、右開きドア１９のみならず左開きドアに兼用使用することができる。即ち、右開きドア１９に用いる場合には、上記参考例と同様に、右開きドア１９の一側に取付け、軸管１５の下端側ガイド口１６を介して中心を合致せしめつつ軸１８を軸管１５にクリアランスをもってスムーズに挿入せしめ、右開きドア１９をフレーム２０に装着せしめる。また、逆に左開きドアに用いる場合（図１８〜図２０でも後記する）は、図１０に示すドア側蝶番部材１２を上下に反転せしめてなる（図１０に示すドア側蝶番部材１２と対称に形成せしめてなる）ドア側蝶番部材１２と上記一つの参考例に示すフレーム側蝶番部材１３と対称に形成せしめてなる図１８，１３に示すフレーム側蝶番部材３３を左開きドアとフレーム２０に各々取付け、下端部に位置せしめた軸管１５のガイド口２６にガイドせしめつつその中心を軸１８中心に合致せしめたのち、軸１８を軸管１５にスムーズに挿入せしめ、左開きドアをラックのフレーム２０に装着せしめる。このように、軸管１５の上下部に各々ガイド口２６・１６が各々形成されているから、右開きドア用として、あるいは左開きドア用として効果的に兼用使用することができるものである。
【００２０】
図１３〜図１７は、別の参考例にかかる抜差し蝶番３１を示すもので、左開きドアに用いるべくドア側蝶番部材３２とフレーム側蝶番部材３３を各々上記一つの参考例に示すドア側蝶番部材１２およびフレーム側蝶番部材１３と対称に形成せしめた点が相違し、他の部分は同一であり、同一符号は同一部分を示す。
【００２１】
そして、上述の如く構成された抜差し蝶番３１は、左開きドア３９に使用する。即ち、左開きドア３９の一側縁に上下一対のドア側蝶番部材３２を取付けると共に、フレーム２０の一側縁に上下一対のフレーム側蝶番部材３３を各々取付ける。しかるのち、左開きドア３９を持ち上げつつ側方より上下の軸管１５に対応する軸１８にアプローチせしめ、上下軸１８の先部を各々対応する上下軸管１５のガイド口１６に沿ってガイドせしめつつその中心を垂直線上に合致せしめたのち、軸管１５に各々軸１８を回動自在に挿入せしめ、ラックに左開きドア３９を装着せしめるものである（図１７参照）。このさい、上下の軸管１５の下端にはガイド口１６が形成されているから、上下の軸管１５と軸１８との中心をクリアランスをもって垂直方向に容易に合致せしめることができるものであって、ひいては、ラックに対する左開きドア３９の装着作業を容易に、しかも、能率よく行うことができるものである。
【００２２】
図１８〜図２０は、本発明の一実施例の抜差し蝶番４１を示すもので、ドア側蝶番部材３２を構成する軸管１５の上端部に略半筒状のガイド口２６が切欠き形成された点が図１３に示す上記別の参考例と相違し、他の部分は同一であり、同一符号は同一部分を示す。  
【００２３】
そして、上述の如く構成された抜差し蝶番４１は、軸管１５の下部のみならず上部に各々ガイド口１６・２６が各々形成されているから、図１０に示した抜差し蝶番２１と同様に、ドア側蝶番部材３２を上下に反転せしめ、左開きドア３９用として、あるいは右開きドア１９用として効果的に兼用使用することができるのである。
【００２４】
なお、上記実施例において、軸管１５に切欠き形成されたガイド口１６・２６は略半筒状に形成されているが、これに限定されるものではなく、半円錐状など公知の形状に形成せしめてもよいものである。
【符号の説明】
【００２５】
１１・２１・３１・４１  抜差し蝶番
１２・３２  ドア側蝶番部材
１３・３３  フレーム側蝶番部材
１４  蝶板
１５  軸管
１６・２６  ガイド口
１７  蝶板
１８  軸
１９  右開きドア
２０  フレーム
３９  左開きドア
【手続補正２】
【補正対象書類名】特許請求の範囲
【補正対象項目名】全文
【補正方法】変更
【補正の内容】
【特許請求の範囲】
【請求項１】
蝶板の一側縁に所要長の軸管が形成されてなるドア側蝶番部材と、上記軸管に挿入せしめるべく蝶板の一側上端に所要長の軸が突設されてなるフレーム側蝶番部材とよりなる抜差し蝶番において、上記軸管の上下端部には各々軸の先部を嵌合せしめつつその先部の中心を軸管内にガイドせしめるべくガイド口が切欠き形成されてなることを特徴とする、抜差し蝶番。
【請求項２】
上記ドア側蝶番部材は水平断面略Ｌ字形状の取付け孔付き蝶板で構成されている一方、上記フレーム側蝶番部材は水平断面略Ｌ字形状の取付け孔付き蝶板で構成されていると共に、上記ドア側蝶番部材は右開きドア用として、あるいは左開きドア用として兼用使用可能な形状を有することを特徴とする、請求項１記載の抜差し蝶番。